(57)【要約】      （修正有）【課題】使用者の必要によって押し竿の位置を選ぶことができ、使う必要がある時押し竿を回転することができる。位置付け装置を通じて押し竿と部品を載せるパネルの位置と一定の角度にし、作業に用いる。押し竿を使う必要がない時、押し竿をパネルの中に組み込むことができて、押し車の品物を載せるパネルを重複に載せて上へ積んでおくことができる。また、押し車の品物を載せる面積を増加して、安定的に体積が大きい品物を輸送することができる。押し竿を回すことを通して手押し車と台車の転換ができて、簡便で実用的である。【解決手段】パネルと押し竿を含んで、パネルの左右の両側で押し竿と対応した溝を設置し、パネルの上で押し竿とつながる位置付け装置を設置する。位置付け装置は押し竿底部の内側の位置付けの穴、位置付け穴と対応する弾力性部品と押し竿とつながる部品から構成する。【選択図】図１
0003137782.tif 000002
【実用新案登録請求の範囲】
【請求項１】
パネル(1)と押し竿(2)が含まれ、パネル(1)左右の両側で押し竿(2)と対応した押し溝(11)を設置し、パネル(1)で押し竿(2)のつながる位置付け装置を設置することを特徴とする押し車。
【請求項２】
位置付け装置は押し竿(2)底部の内側の位置付け穴(21)、位置付けの穴(21)と対応する弾力性部品と押し竿のつながる部品から構成することを特徴とする請求項１記載の押し車。
【請求項３】
弾力性部品は滑り溝(13) が含まれ、滑り溝(13)の内で滑り塊(15)を設置し、滑り溝(13)の上で滑り溝カバー(14)をかぶせ、滑り塊(15)の一側で弾力性部品を設置、別の一側は位置付け部品を設置し、押し竿のつながる部品は位置付け溝(12)と位置付け溝(12)の内の押し竿カバー(22)から構成し、位置付け溝(12)の内で押し竿カバー(22)を上り下りすることができる滑り装置を設置し、位置付け部品は滑り溝(13)と位置付け溝(12) を通じて、位置付け穴(21)と合わせることを特徴とする請求項２記載の押し車。
【請求項４】
弾力性部品は滑り塊(15)の一側の伸び竿(152)と伸び竿(152)の上のスプリング(155)から構成され、滑り溝(13)の上で通孔IV(131)をあけ、滑り塊(15)は伸び竿(152)を通じて通孔IV(131)を横切り、滑り溝(13)の内であちこち滑ることを特徴とする請求項３記載の押し車。
【請求項５】
弾力性部品は滑り塊(15)の一側の伸び竿(152)と伸び竿(152)のスプリング(155)から構成され、伸び竿(152)の長さはスプリング(155)より短く、滑り塊(15)はスプリング(155)を通じて滑り溝(13)の内であちこち滑ることを特徴とする請求項３記載の押し車。
【請求項６】
位置付け部品は滑り塊(15)の一側のU形溝(153)とU形溝(153)に嵌める位置付けピン (154)から構成され、滑り溝(13)の上で通孔V(135)を設置し、位置付け溝(12)で通孔II(121)を設置し、位置付けピン(154)が通孔V(135)と通孔II(121)を通じて位置付け穴(21)と合わせることを特徴とする請求項３記載の押し車。
【請求項７】
滑り装置は位置付け溝(12)の内の穴(122)と穴(122)の一側の滑り溝(123)が含まれて、押し竿カバー(22)で滑り竿(223)を設置し、押し竿カバー(22)は滑り竿(223)を通じて、滑り溝(123)を横切り、穴(122)の内で上から下まで滑ることを特徴とする請求項３記載の押し車。
【請求項８】
滑り溝カバー (14)の一側でカバーボタン(143)と通孔III(142)を設置し、別の一側で突き出し塊(144)を設置し、滑り塊の溝(13)の上でボルト穴(132)、溝II(133)と溝III(134) を設置し、溝カバーはカバーボタン(143)を通じて溝II(133)と合わせ、突き出し塊(144)は溝III(134)と合わせ、通孔III(142)はボルト穴(132)と合わせ、これらを合わせることは滑り塊(15)を滑り溝(13)に限定できることを特徴とする請求項３記載の押し車。
【請求項９】
滑り塊(15)の上で滑り塊の受力装置を設置し、当装置は丸いリングボタン(151)であり、溝カバー (14)で当装置と対応する方向誘導の溝I(141)を設置することを特徴とする請求項３記載の押し車。
【請求項１０】
パネル(1)の上で突き出し(16)を設置することを特徴とする請求項１記載の押し車。
【考案の詳細な説明】
【技術分野】
【０００１】
本考案は押し車に関し、具体的には押し車の押し竿とパネルの間のつながる装置に関連する。
【背景技術】
【０００２】
現在、一般的に品物を載せる押し車の押し竿とパネルについて、固定でつながるまたは押し竿のつながりを解体できることを採用する。
【０００３】
固定でつながる押し竿を採用する場合、押し車を集中的に積んでおく時、その弊害は明らかである。
【０００４】
押し竿は品物を載せるパネルの上に固定するため、押し車を集中的に積んでおく時押し竿の影響を受けるから、押し車のパネルを重複に積んでおくことがでず、地面の上に置くことしかでず、占有面積は大きくなる。押し竿のつながりを解体することを採用したら、押し車を集中的に積んでおく時、押し竿を下ろさなければならず、押し竿を単独で別の所で保管し、押し車を使う必要がある時、別の一箇所の押し竿を再取り付けることが必要だから、過程は比較的にくどい。中国国家の知的所有権局が2007年5月16日にある手押し車についての新型の特許を公にし、公告号はCN2900281で、この特許は伝統の手押し車を進歩させ、押し車のハンドルと本体の間で折り畳む機器を増設して、それによって押し車のハンドルはほぼレベル位置からほぼ垂直位置に回転することをさせて、手押し車の占用した空間を減らして、保管に便利である。しかしその進歩は押し車の本体に関して進歩の設計をしておらず、折り畳む機器を増設することは一定の程度で手押し車の占用する空間を減らすが、依然として手押し車の保管に効果がなく、もし手押し車のパネルを重複に積んでおくことを必要とするなら、この実用的な新型は押し車の本体の位置が固定されるため、その影響でパネルを重複に積んでおく要求を満たすことができない。同時に、押し車の本体が固定されることは、手押し車のパネルの品物を載せて面積は制約を受け、パネルの品物より大きい面積を輸送しなければならない時、この実用的な新型は品物の一部をパネルの外で置くことしかできず、この時パネルの前後が力を受けることが対称ではないため、手押し車の重心を前に移させ、品物の落ち込みが出やすく、そのため最大限度に品物を載せる面積を満たせない。
【考案の開示】
【考案が解決しようとする課題】
【０００５】
当実用的な新型に対して技術問題を解決するのは押し車を出して、押し車を集中的に積んでおくことを効果的に解決できて、特にパネルを重複に積んでおくことができ、押し車の占用する空間を減らしておくことである。同時に、面積の広い品物を最大限度に安定的に輸送することができ、押し竿のためパネルの面積を制約することを解決して、しかも品物はパネルの上で放置する時傾かせることがなくて、運搬中に重心が不安定で品物が落ち込むようなことはありえない。上記の技術問題を解決するため、本考案は次の通りの技術方案を採用する。ある押し車はパネルと押し竿を含んで、その特徴は下記の通り、パネルの左右両側に押し竿と対応した押し竿溝を設置し、パネルの上で押し竿とつながる位置付け装置を設置する。
【０００６】
さらなる、位置付け装置は押し竿底部内側の位置付け穴、位置付け穴と対応する弾力性部品と押し竿から構成する。
【０００７】
最適化として、弾力性部品は滑り物の溝を含んで、滑り物の溝の上で溝カバーを設置し、滑り物の一側で弾力性部品を設置し、別の一側で位置付け部品を設置する。押し竿のつながる部品は位置付け溝と当溝内の押し竿カバーから構成する。位置付け溝の内に押し竿カバーが上り下りさせる滑り装置を設置する。位置付け部品は滑り物と位置付溝を通じて位置付けの穴と合わせる。
【０００８】
最適化として、弾力性部品は滑り塊の一側の伸びる竿のスプリングから構成し、滑り塊の溝の上で通孔IVを設置し、滑り塊は伸びる竿を通じて通孔IVを通じて、滑り溝にあちこち滑ること。
【０００９】
最適化として、弾力性部品は滑り塊の一側の伸びる竿のスプリングから構成し、伸びる竿の長さはスプリングより短くして、滑り塊はスプリングを通じて滑り溝の内にあちこち滑ること。
【００１０】
最適化として、位置付け部品は滑り塊の一側U形溝とU形溝の位置付けピンから構成して、滑り溝の上で通孔Vを設置し、位置付け溝で通孔IIを設置し、位置付けピンは通孔Vと通孔IIを通って位置付け穴と合わせる。
【００１１】
最適化として、滑り装置は位置付け溝内で設置する穴とこの穴の一側の滑り溝が含まれ、押し竿カバーで滑り竿を設置し、押し竿カバーは押し竿を通じて、滑り溝を通って穴の内に上から下まで滑る。
【００１２】
最適化として、溝カバーの一側でカバーボタンと通孔IIIを設置し、別の一側で突き出す塊を設置する。滑り溝の上でボルト穴、溝IIと溝IIIを開けて、溝カバーはカバーボタンを通って、溝IIと合わせる。突き出し塊と溝IIIとを合わせ、通孔IIIとボルト穴とを合わせることは滑り塊を滑り溝に限定する。
【００１３】
さらなる、滑り塊で力を受ける装置を設置し、当装置は丸いリングボタンであり、溝カバーで当装置と対応する方向誘導の溝を設置し、丸いリングボタンの力で滑り塊を動かさせ、位置付けピンが押し竿の位置付け穴を離れさせる。
【００１４】
さらなる、パネルで出っ張りを設置し、これがパネル表面の摩擦力を増加することができる。
【００１５】
本考案は上記の技術方案を採用したため、押し竿を位置付けることが実現でき、押し車は使用者の必要によって押し竿の位置を選ぶことができる。押し竿を使う時それを回転し出すことができて、位置付け装置を通じて押し竿と品物を載せるパネルと一定の角度になり、作業に用いる。押し竿を使う必要がない時はそれをパネルの中に組み込むことができ、効果的に押し車の占用する空間を減らし、押し車の品物を載せるパネルを重複に積んでおくことに良い。同時に押し竿をパネルに組み込んだ後に、手押し車は台車に変えて、パネルの表面は平らであるため、放置する品物が傾くことはなく、しかも効果的に品物を載せるパネルの面積も増大される。輸送面積がパネルの品物より大きい時、品物の中央をパネルの上で放置することができ、押し車の重心を前に移して品物の落ち込むことがなくて、安定的に大きい体積の品物を輸送することができる。輸送する品物の違いによって、押し竿を回して、手押し車と台車の転換を完成することができ、簡便で実用的である。
【考案を実施するための最良の形態】
【００１６】
図1、８、９のように、本考案の押し車の実施の例であり、本押し車はパネル1と押し竿2を含んで、パネル1の左右両側で押し竿2と対応した押し溝11を設置、パネル1で押し竿2とつながる位置付け装置を設置、位置付け装置は押し竿2底部の内側の位置付け穴21、位置付け穴21と対応する弾力性部品と押し竿のつながる部品から構成する。
【００１７】
図2、３、７は本例の弾力性部品であり、弾力性部品は滑り塊13を含んで、滑り塊溝13の内で滑り塊15を設置、滑り塊溝13の上で溝カバー14を設置する。滑り塊15の一側で弾力性部品を設置、弾力性部品は下の通り、滑り塊15の一側で伸びる押し竿152を設置、伸びる押し竿152でスプリング155とワッシャー156を取り付け、滑り塊溝13の一側で通孔IV131を明ける。伸びる押し竿152は通孔IV131を通って、ワッシャー156のため、スプリング155は滑り塊の溝13に伸び縮みすることができる。この弾力性部品を実現するには別の方法を採用することができる。滑り塊15の一側で伸びる押し竿152を設置、伸びる押し竿152でスプリング155を設置、伸びる押し竿152の長さはスプリング155より短い、伸びる押し竿152はスプリング155だけに限定して、スプリング155は滑り塊溝13の中で伸び縮みすることができる。滑り塊15の別の一側で位置付け部品を設置、位置付け部品は、滑り塊15の別の一側でU形溝153を設置、U形溝153の上で位置付けピン154を組み込む。滑り塊溝13の別の一側で通孔V135を設置、位置付けピン154は通孔V135を横切る。
【００１８】
滑り塊15のトップで丸いリングボタン151を設置、丸いリングボタン151は滑り塊15が滑る時の受力する箇所であり、溝カバー14で滑り塊15の受力装置と対応する方向誘導の溝I141を設置、丸いリングボタン151の施力を掛けることを通って、滑り塊が動かすことができて、位置付けピン154が押し竿2の位置付け穴21を離れさせる。滑り塊13の上でボルト穴132、溝II133と溝III134を設置、溝カバー14の一側でカバーボタン143と通孔III142を設置、別の一側で突き出し塊144を設置、カバーボタン143は溝II133と合わせ、突き出し塊144は溝III134と合わせ、溝カバー14は滑り塊13をかぶせさせて、通孔III142はボルト穴132と対応して、ねじを使って溝カバー14をパネル1の上で固定して、滑り塊15は滑り塊溝13に限定する。
【００１９】
図4、 5、6は本例の押し竿のつながる物を示し、本押し竿のつながる物は位置付け溝12とその中の押し竿カバー22から構成する。押し竿カバー22の内側で通孔I222を設置し、通孔I222は位置付け穴21と対応し、押し竿カバー22の外で滑り竿223を設置し、押し竿2は部品221からを押し竿に入って、しかも押し竿カバー22と強くつなぐ。位置付け溝12で穴122をあけ、外側で滑り溝123を設置し、滑り竿カバー22は穴122内で設置され、滑り竿223は滑り溝123を横切る。そのため滑り溝123の作用で、押し竿カバー22は穴122内で上から下まで動かせて、穴122内に限定する。
【００２０】
位置付け溝12内側で通孔II121を設置し、位置付けピン154は通孔V135と通孔II121を横切って、通孔I222に入って位置付け穴21を合わせ、パネル1で出っ張り16を設置し、品物を輸送する時パネルの表面の摩擦力を増加できる。
【００２１】
図4の押し竿カバー22は下を向いて滑って、位置付けピン154は押し竿カバー22の内側の通孔I222とちょうど重なり合わせる。その際、スプリング155のため、位置付けピン154が通孔I222を横切って、押し竿の位置付け穴21と合わせ、押し竿2に位置付けることを完成して、押し竿2は品物を載せるパネル1と一定の角度になり、作業する。押し竿を使う必要がない時、手で丸いリングボタン151に力を掛けて、スプリング155を圧縮して、位置付けピン154が位置付け穴21を離れさせる。同時に押し竿2を上へ上げて、つまり押し竿カバー22の外の滑り竿223は滑り溝123で上へ動かしてトップまで滑る時、押し竿2を回して、押し竿2は品物を載せるパネル1の押し竿溝11の中に組み込ませる。
【図面の簡単な説明】
【００２２】
次に添付図を参考にして当実用的な新型に対して説明する。
【図１】本考案の全体構造の説明図である。
【図２】本考案の溝カバーの説明図である。
【図３】本考案の滑り塊の説明図である。
【図４】本考案の押し竿カバーの説明図である。
【図５】本考案の他の対称である押し竿カバーの説明図である。
【図６】本考案の位置付け溝の説明図である。
【図７】本考案の滑り塊溝の説明図である。
【図８】本考案の押し竿をパネルに組み込む構造の説明図である。
【図９】図1のA-A断面図である。
【図１】
0003137782.tif 000003
【図２】
0003137782.tif 000004
【図３】
0003137782.tif 000005
【図４】
0003137782.tif 000006
【図５】
0003137782.tif 000007
【図６】
0003137782.tif 000008
【図７】
0003137782.tif 000009
【図８】
0003137782.tif 000010
【図９】
0003137782.tif 000011